(57)【特許請求の範囲】
【請求項１】
予約された記録開始時刻及び記録終了時刻に基づいて情報信号の記録媒体への記録動作を開始し終了する予約情報記録動作をなす情報記録装置であって、
前記記録終了時刻の変更指令を発する変更指令手段と、
前記記録開始時刻の経過後において前記変更指令に応じ前記記録終了時刻を前記記録終了時刻より後の第２記録終了時刻に変更し、前記記録終了時刻の経過後における情報信号を前記第２記録終了時刻に達するまで記録媒体に記録する制御を行う記録制御手段と、を有し、
前記記録制御手段は、前記記録動作の開始時の記録開始位置に対応する前記記録媒体のアドレスを記録し、前記記録終了時刻の経過後における情報信号を当該アドレスの記録位置より前記記録媒体に記録する制御を行うことを特徴とする情報記録装置。
【請求項２】
予約された記録開始時刻及び記録終了時刻に基づいて情報信号の記録媒体への記録動作を開始し終了する予約情報記録動作をなす情報記録装置であって、
前記記録終了時刻の変更指令を発する変更指令手段と、
前記記録開始時刻の経過後において前記変更指令に応じ、前記変更指令により指定された変更量だけ前記記録終了時刻を前記記録終了時刻より後の第２記録終了時刻に変更し、前記記録終了時刻の経過後における当該変更量に相当する情報信号を記録媒体に記録する制御を行う記録制御手段と、を有し、
前記記録制御手段は、前記記録動作の開始時の記録開始位置に対応する前記記録媒体のアドレスを記録し、前記記録開始時刻より前記変更量の経過後における情報信号を当該アドレスの記録位置より前記記録媒体に記録する制御を行うことを特徴とする情報記録装置。
【請求項３】
予約された記録開始時刻及び記録終了時刻に基づいて情報信号の記録媒体への記録動作を開始し終了する予約情報記録動作をなす情報記録装置であって、
前記記録終了時刻の変更指令を発する変更指令手段と、
前記記録開始時刻の経過後において前記変更指令に応じ前記記録終了時刻を前記記録終了時刻より後の第２記録終了時刻に変更し、前記記録終了時刻の経過後における情報信号を前記第２記録終了時刻に達するまで記録媒体に記録する制御を行う記録制御手段と、を有し、
前記記録制御手段は、前記記録動作の開始時の記録開始位置に対応する前記記録媒体のアドレスを記録し、前記記録媒体における記録可能領域の有無を判別し、前記記録可能領域が無いと判別した場合に、前記記録終了時刻の経過後における情報記録を当該アドレスの記録位置より前記記録媒体に記録する制御を行うことを特徴とする情報記録装置。
【請求項４】
予約された記録開始時刻及び記録終了時刻に基づいて情報信号の記録媒体への記録動作を開始し終了する予約情報記録動作をなす情報記録装置であって、
前記記録終了時刻の変更指令を発する変更指令手段と、
前記記録開始時刻の経過後において前記変更指令に応じ、前記変更指令により指定された変更量だけ前記記録終了時刻を前記記録終了時刻より後の第２記録終了時刻に変更し、前記記録終了時刻の経過後における当該変更量に相当する情報信号を記録媒体に記録する制御を行う記録制御手段と、を有し、
前記記録制御手段は、前記記録動作の開始時の記録開始位置に対応する前記記録媒体のアドレスを記録し、前記記録媒体における記録可能領域の有無を判別し、前記記録可能領域が無いと判別した場合に、前記記録終了時刻の経過後における情報記録を当該アドレスの記録位置より前記記録媒体に記録する制御を行うことを特徴とする情報記録装置。
【請求項５】
予約された記録開始時刻及び記録終了時刻に基づいて情報信号の記録媒体への記録動作を開始し終了する予約情報記録動作をなす情報記録方法であって、
前記記録終了時刻の変更指令を発する変更指令工程と、
前記記録開始時刻の経過後において前記変更指令に応じ前記記録終了時刻を前記記録終了時刻より後の第２記録終了時刻に変更する記録終了時刻変更工程と、
前記記録終了時刻の経過後における情報信号を前記第２記録終了時刻に達するまで記録媒体に記録する制御を行う記録制御工程と、を有し、
前記記録制御工程は、前記記録動作の開始時の記録開始位置に対応する前記記録媒体のアドレスを記録し、前記記録終了時刻の経過後における情報信号を当該アドレスの記録位置より前記記録媒体に記録する制御を行うことを特徴とする情報記録方法。
【請求項６】
予約された記録開始時刻及び記録終了時刻に基づいて情報信号の記録媒体への記録動作を開始し終了する予約情報記録動作をなす情報記録方法であって、
前記記録終了時刻の変更指令を発する変更指令工程と、
前記記録開始時刻の経過後において前記変更指令に応じ、前記変更指令により指定された変更量だけ前記記録終了時刻を前記記録終了時刻より後の第２記録終了時刻に変更する記録終了時刻変更工程と、
前記記録終了時刻の経過後における当該変更量に相当する情報信号を記録媒体に記録する制御を行う記録制御工程と、を有し、
前記記録制御工程は、前記記録動作の開始時の記録開始位置に対応する前記記録媒体のアドレスを記録し、前記記録開始時刻より前記変更量の経過後における情報信号を当該アドレスの記録位置より前記記録媒体に記録する制御を行うことを特徴とする情報記録方法。
【請求項７】
予約された記録開始時刻及び記録終了時刻に基づいて情報信号の記録媒体への記録動作を開始し終了する予約情報記録動作をなす情報記録方法であって、
前記記録終了時刻の変更指令を発する変更指令工程と、
前記記録開始時刻の経過後において前記変更指令に応じ前記記録終了時刻を前記記録終了時刻より後の第２記録終了時刻に変更する記録終了時刻変更工程と、
前記記録終了時刻の経過後における情報信号を前記第２記録終了時刻に達するまで記録媒体に記録する制御を行う記録制御工程と、を有し、
前記記録制御工程は、前記記録動作の開始時の記録開始位置に対応する前記記録媒体のアドレスを記録し、前記記録媒体における記録可能領域の有無を判別し、前記記録可能領域が無いと判別した場合に、前記記録終了時刻の経過後における情報記録を当該アドレスの記録位置より前記記録媒体に記録する制御を行うことを特徴とする情報記録方法。
【請求項８】
予約された記録開始時刻及び記録終了時刻に基づいて情報信号の記録媒体への記録動作を開始し終了する予約情報記録動作をなす情報記録方法であって、
前記記録終了時刻の変更指令を発する変更指令工程と、
前記記録開始時刻の経過後において前記変更指令に応じ、前記変更指令により指定された変更量だけ前記記録終了時刻を前記記録終了時刻より後の第２記録終了時刻に変更する記録終了時刻変更工程と、
前記記録終了時刻の経過後における当該変更量に相当する情報信号を記録媒体に記録する制御を行う記録制御工程と、を有し、
前記記録制御工程は、前記記録動作の開始時の記録開始位置に対応する前記記録媒体のアドレスを記録し、前記記録媒体における記録可能領域の有無を判別し、前記記録可能領域が無いと判別した場合に、前記記録終了時刻の経過後における情報記録を当該アドレスの記録位置より前記記録媒体に記録する制御を行うことを特徴とする情報記録方法。
【発明の詳細な説明】
【０００１】
【発明の属する技術分野】
本発明は、情報記録再生システムに関し、特に、予約した情報を自動的に記録する機能を有する情報記録装置及び情報記録方法に関する。
【０００２】
【従来の技術】
現在広く普及されている、いわゆるビデオデッキには、録画する放送番組の開始時刻や終了時刻、チャンネル情報等を予めメモリにプログラム記憶しておき、実際の開始時刻及び終了時刻の到来を待ってその対応する当該放送番組をビデオカセットテープに録画する番組予約機能が設けられている。
【０００３】
このようなビデオデッキにおける番組予約機能は、プログラム記憶されたチャンネル情報、開始時刻及び終了時刻によって目的の番組を自動的に録画するようにしているので、プログラム記憶後に当該放送局の都合によって目的の番組の開始時刻及び終了時刻が変更になった場合には、使用者がプログラム記憶された開始時刻及び終了時刻を設定し直さない限り目的の番組を正確に録画することができなかった。
【０００４】
また、従来の番組予約機能では、予約録画動作中は、その予約録画動作を解除しない限り予約内容を修正することができないものであった。
それ故、先行番組の延長によって目的の番組の開始が遅れてしまった場合においては、当該目的の番組全てを漏らすことなく録画すべく番組予約機能による録画動作に続けて録画を継続させる操作が使用者に要求される。
【０００５】
また、このような操作を使用者が行ったとしても、ビデオカセットテープには、目的としていない先行番組の当該延長分の録画に続いて目的の番組の録画がなされることとなり、当該先行番組の録画部分が無駄に記録される結果となる。そればかりか、目的の番組の録画部分が当初予定していたビデオカセットテープの記録位置よりも後ろへずれ込むので、記録可能なテープ残量の少ない最悪の場合は、目的の番組が先頭からの一部しかビデオカセットテープに記録されないような状況となる可能性がある。このような状況では、使用者は、テープ末端まで記録の終了したビデオカセットテープに代えて新しいビデオカセットテープを装填し、目的の番組の録画を継続させなければならないし、かかるテープ残量が十分多くあったとしても、１つのビデオカセットテープにおいて録画番組の一貫性を図るためには、無駄に記録した先行番組の部分のみを消去するなどの煩わしい編集作業が必要である。
【０００６】
【発明が解決しようとする課題】
かかる不具合は、ビデオカセットテープを記録媒体とするこのようなビデオデッキに限らず、ディスク状記憶媒体を扱って同様の予約記録をなす装置を含めた予約機能付きの記録再生システムにおいて生じるものである。そこで本発明は、こうした点に鑑みてなされたものであり、その目的とするところは、予約時間情報に基づく記録動作が実行されている最中においてその予約時間情報に対して現実の目的の情報の提供が遅れた場合にも対処することができ、しかも目的の情報のみを無駄なく記録媒体に記録することのできる情報記録装置及び情報記録方法を提供することにある。
【０００７】
【課題を解決するための手段】
上記目的を達成するために、本発明による情報記録装置は、予約された記録開始時刻及び記録終了時刻に基づいて情報信号の記録媒体への記録動作を開始し終了する予約情報記録動作をなす情報記録装置であって、前記記録終了時刻の変更指令を発する変更指令手段と、前記記録開始時刻の経過後において前記変更指令に応じ前記記録終了時刻を前記記録終了時刻より後の第２記録終了時刻に変更し、前記記録終了時刻の経過後における情報信号を前記第２記録終了時刻に達するまで記録媒体に記録する制御を行う記録制御手段と、を有し、前記記録制御手段は、前記記録動作の開始時の記録開始位置に対応する前記記録媒体のアドレスを記録し、前記記録終了時刻の経過後における情報信号を当該アドレスの記録位置より前記記録媒体に記録する制御を行うことを特徴としている。
【０００８】
上記態様の情報記録装置において、前記記録制御手段は、前記変更指令により指定された変更量だけ前記記録終了時刻を前記記録終了時刻より後の第２記録終了時刻に変更し、前記記録終了時刻の経過後における当該変更量に相当する情報信号を記録媒体に記録する制御を行うようにすることができる。また、前記記録制御手段は、前記記録動作の開始時の記録開始位置に対応する前記記録媒体のアドレスを記録し、前記記録開始時刻より前記変更量の経過後における情報信号を当該アドレスの記録位置より前記記録媒体に記録する制御を行うようにすることができる。
【０００９】
ここで前記記録制御手段は、前記記録動作の開始時の記録開始位置に対応する前記記録媒体のアドレスを記録し、前記記録媒体における記録可能領域の有無を判別し、前記記録可能領域が無いと判別した場合に、前記記録終了時刻の経過後における情報記録を当該アドレスの記録位置より前記記録媒体に記録する制御を行うようにすることができる。
【００１０】
本発明による情報記録方法は、予約された記録開始時刻及び記録終了時刻に基づいて情報信号の記録媒体への記録動作を開始し終了する予約情報記録動作をなす情報記録方法であって、前記記録終了時刻の変更指令を発する変更指令工程と、前記記録開始時刻の経過後において前記変更指令に応じ前記記録終了時刻を前記記録終了時刻より後の第２記録終了時刻に変更する記録終了時刻変更工程と、前記記録終了時刻の経過後における情報信号を前記第２記録終了時刻に達するまで記録媒体に記録する制御を行う記録制御工程と、を有し、前記記録制御工程は、前記記録動作の開始時の記録開始位置に対応する前記記録媒体のアドレスを記録し、前記記録終了時刻の経過後における情報信号を当該アドレスの記録位置より前記記録媒体に記録する制御を行うことを特徴としている。
【００１１】
【発明の実施の形態】
以下、本発明の実施例について図面を参照しつつ詳細に説明する。
図１は、本発明の一実施例による予約機能付き情報記録再生装置の概略的な構成を示している。
図１における情報記録再生装置は、例えば地上放送波を受信するテレビチューナ１を音声信号及び画像信号のソースとしている。テレビチューナ１からの音声信号は、Ａ／Ｄ変換器２１によりディジタル化されて音声エンコーダ３１に供給される一方、画像信号は、Ａ／Ｄ変換器２２によりディジタル化されて画像エンコーダ３２に供給される。
【００１２】
音声エンコーダ３１は、ディジタル音声信号に所定の符号変換（例えば圧縮処理）を施し、その符号変換出力をマルチプレクサ４（ＭＰＸ）の一方の入力へ供給する。画像エンコーダ３２は、ディジタル画像信号に所定の符号変換（例えば圧縮処理）を施し、その符号変換出力をマルチプレクサ４の他方の入力へ供給する。
【００１３】
マルチプレクサ４は、一方の入力信号と他方の入力信号とを時分割多重し、音声と画像の多重情報信号を生成する。この多重情報信号は、記録再生制御回路５に供給され、書換可能なＤＶＤなどの書換可能型記録媒体への記録の対象とされたり或いは情報再生すなわち音声出力や画像表示の対象とされる。
テレビチューナ１の受信情報を専ら再生する再生モードのときは、記録再生制御回路５は、マルチプレクサ４からの多重情報信号をデマルチプレクサ（ＤＥ−ＭＰＸ）６にのみ中継する。デマルチプレクサ６は、供給された多重情報信号に時分割多重分離をなして、マルチプレクサ４の入力における形式と同等の音声信号及び画像信号を個々の系統にて出力する。
【００１４】
デマルチプレクサ６の出力音声信号は、音声デコーダ７１に供給され、上記エンコーダ３１において行われる符号変換とは逆の変換処理（例えば伸張処理）が施される。この逆変換出力は、Ｄ／Ａ変換器８１によりアナログ化され、アナログの音声出力として導出される。
また、デマルチプレクサ６の出力画像信号は、画像デコーダ７２に供給され、上記エンコーダ３２において行われる符号変換とは逆の変換処理（例えば伸張処理）が施され、この逆変換出力は、Ｄ／Ａ変換器８２によりアナログ化され、アナログの画像出力として導出される。
【００１５】
テレビチューナ１の受信情報を記録する記録モードのときは、記録再生制御回路５は、マルチプレクサ４からの多重情報信号を記録媒体読取／書込システム９とデマルチプレクサ６とに中継する。記録媒体読取／書込システム９は、供給された多重情報信号を、装填された記録媒体に書き込む機能を有する。より詳しくは、読取／書込システム９は、システム制御回路１００からの指示に従う記録再生制御回路５の制御によって多重情報信号を所定フォーマットにて記録媒体に書き込む。装填される記録媒体としては、上記ＤＶＤの他にも情報の上書き可能な記録媒体が好適である。
【００１６】
記録モード下における記録再生制御回路５以降のデマルチプレクサ６を含む後段の系の信号処理の流れは、上述と同様である。
システム制御回路１００はまた、記録媒体読取／書込システム９の記録動作の制御を司るための指令信号だけでなく読取動作及び書込動作の制御を司るための指令信号をも記録再生制御回路５に発する。これらの指令信号には、いずれも装填された記録媒体の実際の記録位置または区域を示すアドレス情報が含まれる。このアドレス情報により、記録媒体における任意の記録位置に情報を書き込むことができ、任意の記録位置の情報を読み取ることができる。端的に言えば、システム制御回路１００は、記録媒体の情報再生及び記録モード下において記録媒体の任意記録位置にアクセスするためのアドレス制御を行うものである。
【００１７】
さらに、システム制御回路１００は、ユーザーインターフェースとしての操作部１０１からの指令信号に応じて他の各部の制御を行う。かかる指令信号の代表的な１つは、予約記録動作中における時刻延期情報を担うシフト操作指令信号である。したがって、操作部１０１は、予約機能による記録動作中において有効とされる予約時間情報の変更指令を発生する変更指令手段を担う。
【００１８】
また、システム制御回路１００は、時計回路１０２及びその計時出力に基づいた予約情報を記憶する予約メモリ１０３を用いて、操作部１０１の操作内容に応じたテレビジョン放送の番組予約及び予約番組に対応した動作を各部に行わせることが可能となっている。
なお、この情報記録再生装置は、テレビチューナ１をソースとして持つタイプであるが、このような形態に限らず、テレビチューナ１やＡ／Ｄ変換器２１，２２、エンコーダ３１，３２を備えずに、マルチプレクサ４へ直接導く音声及び画像用の外部入力端子を設け、この外部入力端子に、エンコーダ３１，３２においてなされる如き符号変換が予め施された音声ディジタル信号や画像ディジタル信号を供給可能とする形態を採っても良い。
【００１９】
システム制御回路１００及び記録再生制御回路５は、記録制御手段と再生制御手段とを兼ねる。
次に、この情報記録再生装置の動作について説明する。
図２は、システム制御回路１００により実行される予約番組記録動作処理の一例の手順を示しており、図３ないし図５は、この処理によってなされる記録形態を模式的に示している。
【００２０】
図２において、システム制御回路１００は、ユーザによる操作部１０１を用いたタイマー予約を認識すると（ステップＳ１）、タイマースタンバイモードに移行し（ステップＳ２）、予約時刻が到来したか否かを判別する（ステップＳ３）。ここで、ユーザにより設定された予約内容としては、開始時刻ｔ１から始まり終了時刻ｔ２にて終了する或るチャンネルの番組放送内容を画像及び音声の双方につき記録するものとすると、ステップＳ３においては、現在時刻が開始時刻ｔ１に相当するか否かを判断することとなる。現在時刻は、時計回路１０２の出力によって検知することができる。現在時刻が開始時刻ｔ１となっていなければ、開始時刻ｔ１となるまで待機状態が作られる。
【００２１】
開始時刻ｔ１が到来すると、システム制御回路１００は、図示せぬ電源系に指令を発して当該情報記録再生装置全体の電源を投入し、予約番組記録動作の開始可能とする（ステップＳ４）。そしてシステム制御回路１００は、予約により設定されたチャンネルに同調するようテレビチューナ１を制御し（ステップＳ５）、記録媒体における記録可能領域の先頭部を頭出しすなわち適切な記録開始位置に読取／書込ヘッド（本例の場合、光照射ヘッド）による実際の記録点を位置付けるようなアドレス移動動作を読取／書込システム９にさせるよう記録再生制御回路５を制御する（ステップＳ６）。
【００２２】
かかる頭出しがなされた後は、システム制御回路１００は、チューナ受信情報の実際の記録動作を開始させるとともに、記録開始位置に対応する記録媒体のアドレスＡ１をメモリ１０３に記憶する（ステップＳ７）。このチューナ受信情報の記録動作は、システム制御回路１００からの書込指令を受けた記録再生制御装置５が、供給されるマルチプレクサ４からの多重情報信号を読取／書込システム９に転送するとともに読取／書込システム９にその多重情報信号を記録媒体に記録させるための制御信号を発生することによって達成される。アドレスＡ１は、ステップＳ６においてヘッドの位置付けを為し終わった際に当該ヘッドが記録媒体を読み取って得られる記録開始位置のアドレスまたは予め記録しておいた記録最終アドレスの次のアドレスに相当する。
【００２３】
ステップＳ７によって記録動作が開始された後は、システム制御回路１００は、予約により設定された終了時刻ｔ２が到来したか否かを判別する（ステップＳ８）。現在時刻が終了時刻ｔ２とならない間は、システム制御回路１００は、後述のステップ２０においてシフト操作の判別がなされない限り、ステップＳ８を繰り返し、終了時刻ｔ２までの記録動作の継続がなされることとなる。
【００２４】
ステップＳ８において現在時刻が終了時刻ｔ２に相当していれば、システム制御回路１００は、記録動作を終了させ（ステップＳ９）、当該記録動作における最後の記録位置に対応するアドレスＡ２をメモリ１０３に記憶する（ステップＳ１０）。そしてシステム制御回路１００は、メモリ１０３に記憶されている記録済／未記録識別情報を書き換え（ステップＳ１１）、さらにメモリ１０３に記憶されている今回実行した分の予約情報を消去する（ステップＳ１２）。その後、システム制御回路１００は、タイマー録画終了（ステップＳ１３）、ディスクにおける番組管理情報書換（ステップＳ１４）を行って、この予約番組記録動作処理を完了する。番組管理情報の詳細は、後述する。
【００２５】
ステップＳ８において、現在時刻が終了時刻ｔ２に達していなければ、システム制御回路１００は、終了時刻のシフト（延長）操作がなされたか否かを判別し（ステップＳ２０）、シフト操作がなされていない場合は再びステップＳ８に戻る。したがって、終了時刻ｔ２前においてシフト操作がなされない場合は、ステップＳ８及びＳ２０を繰り返すループを呈し、終了時刻ｔ２の到来及びシフト操作を待機する状態が作られることとなる。
【００２６】
【通常記録動作】
先行番組の延長もなく予約番組の放送が予定の時間通りに行われ、それ故にシフト操作のない場合は、ステップＳ８からステップＳ９以降の処理が行われる。この態様は、図３のようになる。
すなわち、これはユーザが予約した目的の番組の実際の開始時刻と予約により設定された開始時間ｔ１とが一致している状況であり、ステップＳ３により検知された開始時間ｔ１の到来に応答してステップＳ７により記録動作を開始し、ステップＳ８により検知された開始時間ｔ２の到来に応答してステップＳ９により記録動作を停止することで、実時間通りに予約番組の情報を記録媒体に記録することができる。
【００２７】
【予約変更記録動作】
ステップＳ２０において、終了時刻のシフト操作がなされていることが判別されると、システム制御回路１００は、現在時刻が開始時刻ｔ１からシフト操作により設定されたシフト時間△Ｔを経過した時刻（すなわちｔ１＋△Ｔによって得られる時刻）ｔ１′以前か否かを判別する（ステップＳ２１）。ここでの判別は、記録媒体への情報記録を大きく２つの形態に分けるものである。
【００２８】
（１）１つは事後対応型の記録形態と言える。
この事後対応型記録形態は、ステップＳ２１において現在時刻が時刻ｔ１′を過ぎていると判別された場合、すなわちシフト操作が時刻ｔ１′後にされた場合のもので、その態様は図４のようになる。
システム制御回路１００は、開始時刻ｔ１からの記録動作の開始から現在時刻が予約により設定された終了時刻ｔ２になるまでの間、記録動作の継続状態を作る（ステップＳ２２）。終了時刻ｔ２になると、システム制御回路１００は、当該時刻ｔ２における記録媒体の記録位置に対応するアドレスＡ３を記録再生制御回路５との共働によって取り込み、メモリ１０３に記憶する（ステップＳ２３）。
【００２９】
ステップＳ２３に引き続いて、システム制御回路１００は、頭出しジャンプすなわち上記アドレスＡ１に対応する記録位置に読取／書込ヘッドの記録点を位置付けるよう記録再生制御回路５を制御した後、当該アドレスＡ１の記録位置から継続して目的の番組放送の記録動作を行うよう記録再生制御回路５を制御する（ステップＳ２４）。
【００３０】
これにより、図４に示されるように、先行番組が時間△Ｔだけ延長され本来の開始時刻ｔ１から時間△Ｔだけ遅れた時刻ｔ１′から目的の番組が開始されても、時刻ｔ１′後にされたシフト操作に従って、先行番組の延長分の情報が記録された記録領域に目的の番組の情報を上書き記録するので、記録媒体の記録領域を無駄にせずしかも不要な当該先行番組の情報を消しておくことができる。
【００３１】
（２）もう１つの記録形態は、事前対応型と言える。
この事前対応型記録形態は、ステップＳ２１において現在時刻が時刻ｔ１′以前であると判別された場合、すなわちシフト操作が時刻ｔ１′以前になされた場合のもので、その態様は図５のようになる。
システム制御回路１００は、開始時刻ｔ１からの記録動作を停止する（ステップＳ２５）。そしてシステム制御回路１００は、現在時刻が時刻ｔ１′になるまでの間待機状態を作り（ステップＳ２６）、現在時刻が時刻ｔ１′になると、頭出しジャンプしてアドレスＡ１に対応する記録位置に読取／書込ヘッドの記録点を位置付けるよう記録再生制御回路５を制御した後に、当該アドレスＡ１の記録位置から記録動作が再開されるよう記録再生制御回路５を制御する（ステップＳ２７）。
【００３２】
これにより、図５に示されるように、先行番組が時間△Ｔだけ延長され本来の開始時刻ｔ１から時間△Ｔだけ遅れた時刻ｔ１′から目的の番組が開始されても、時刻ｔ１′以前にされたシフト操作に従って、先行番組の延長分の記録領域の先頭から目的の番組の情報の記録を開始するので、記録媒体の記録領域を無駄にせず不要な当該先行番組の情報を消去しておくことができるだけでなく、結果的に図３と同様の記録形態とすることができ記録順序及び再生順序を変更することがない。
【００３３】
ステップＳ２４またはＳ２７の後は、現在時刻が開始時刻ｔ２からシフト操作により設定されたシフト時間△Ｔを経過した時刻（すなわちｔ２＋△Ｔによって得られる時刻）ｔ２′以前か否かを判別して、当該時刻ｔ２′までの記録動作継続状態を作る（ステップＳ２８）。時刻ｔ２′となった後は、先に説明したステップＳ９以降の処理に移行する。
【００３４】
図６は、システム制御回路１００により実行される予約番組記録動作処理の他の例の手順を示しており、図７及び図８は、この処理に特有の記録形態を模式的に示している。
図６においては、先の図２のフローチャートにおけるステップと同等のステップに同一の符号が付されており、かかる同等ステップについては詳述しない。
【００３５】
図６の処理に特有のフローの１つは、ステップＳ２１−ＮＯとなって開始時刻ｔ１′の後にシフト操作がなされた場合に、記録可能領域が残っているか否かを判別し（ステップＳ２Ａ）、残っていれば開始時刻ｔ２から△Ｔだけシフトされた時刻ｔ２′が到来したか否かを判別し（ステップＳ２Ｂ）、時刻ｔ２′に達していればステップＳ９へ、そうでなければステップＳ２Ａへ移行するフローである。
【００３６】
ステップＳ２Ａの処理は、要するに、図７に示される如き記録領域の終端部Ｅに読取／書込ヘッドの記録点が到達したか否かをもって記録可能領域（記録スペース）Ｓが残っているか否かを判別することができる。
ステップＳ２ＢからステップＳ２Ａへ移行する繰り返しフローは、ステップＳ７により開始された記録動作を、延長された時刻ｔ２′にまで継続させる処理に相当する。
【００３７】
これにより、図７に示されるように、先行番組が時間△Ｔだけ延長され本来の開始時刻ｔ１から時間△Ｔだけ遅れた時刻ｔ１′から目的の番組が開始されても、時刻ｔ１′後にされたシフト操作に従って、終了時刻ｔ２を過ぎても目的の番組の情報の記録動作を停止させることなく、変更された終了時刻ｔ２′にまでその記録動作を継続させることとなる。故に、目的の番組の情報を漏らさず記録することができ、しかも実質的に図３と同様の記録形態とすることができ記録順序及び再生順序を変更することがない。
【００３８】
図６の処理に特有のもう１つのフローは、ステップＳ２Ａにおいて記録可能領域Ｓが残っていないことすなわち記録領域端部Ｅが判別された場合に、システム制御回路１００が、当該端部Ｅの直前における記録媒体の記録位置に対応するアドレスＡ３を記録再生制御回路５との共働によって取り込み、メモリ１０３に記憶し（ステップＳ２３）、頭出しジャンプすなわち記録開始アドレスＡ１に対応する記録位置に読取／書込ヘッドの記録点を位置付けるよう記録再生制御回路５を制御した後、当該アドレスＡ１の記録位置から継続して目的の番組放送の記録動作を行うよう記録再生制御回路５を制御する（ステップＳ２４）、というフローである。
【００３９】
これにより、図８に示されるように、先行番組が時間△Ｔだけ延長され本来の開始時刻ｔ１から時間△Ｔだけ遅れた時刻ｔ１′から目的の番組が開始されても、時刻ｔ１′後にされたシフト操作に従って、終了時刻ｔ２を過ぎても目的の番組の情報の記録動作を停止させることなく記録領域の終端までその記録動作を継続させるとともに、先行番組の延長分の情報が記録された記録領域に目的の番組の情報を上書き記録するので、記録媒体の記録領域を無駄にせずしかも不要となった当該先行番組の情報記録部分を有効利用することができる。
【００４０】
以上の説明から分かるように、この処理においては、記録媒体における記録可能領域の有無に応じて図７に示される記録形態が採られたり、図８に示される記録形態が採られたりする。すなわち、当該有無に応じて記録終了時刻ｔ２の経過後における記録位置が制御されるのである。
さらに、図６の処理に追加されたステップＳ１Ａは、ステップＳ１０とステップＳ１１との間に設けられる。
【００４１】
このステップＳ１Ａは、時刻ｔ１′に対応する、従って目的番組の記録開始位置を示すアドレスＡ４をメモリ１０３に記憶するものである。アドレスＡ４は、シフト操作により設定されたシフト量に相当するアドレス変化量を記録開始アドレスＡ１に加えて求めることができる。図３に示される記録形態が採られる場合は、シフト操作がなく設定されるシフト量はゼロであるので、アドレスＡ４はアドレスＡ１に等しいことになる。
【００４２】
上記ステップＳ２０において判別の対象となっているシフト操作の態様は、図９に示される。
図９において、システム制御回路１００は、操作部１０１からの指令によりタイマー録画が開始され、最初にシフト（延長）量変数Ｔを初期化すなわち０［分］にする（ステップＳ１０１）。
【００４３】
その後システム制御回路１００は、操作部１０１に備えられた“＋”キーが押圧されたか否かを判別し（ステップＳ１０２）、これが押圧された場合のみ変数Ｔの値を１つ増やす（ステップＳ１０３）。また、システム制御回路１００は、操作部１０１に備えられた“−”キーが押圧されたか否かを判別し（ステップＳ１０４）、これが押圧された場合のみ変数Ｔの値を１つ減らす（ステップＳ１０５）。
【００４４】
そしてシステム制御回路１００は、操作部１０１に備えられたシフト量設定キーが押圧されたか否かを判別し（ステップＳ１０６）、これが押圧されなければステップＳ１０２に移行し、押圧されれば変数Ｔの値をシフト量△Ｔとして確定させる（ステップＳ１０７）。したがって、シフト量設定キーが押圧されるまでは、ステップＳ１０２〜Ｓ１０５の処理が繰り返されることとなり、“＋”キー及び“−”キーの押圧により１分単位で任意に変数Ｔを随時変更自在とすることができ、ユーザの確かな意志に基づくシフト量設定キーの押圧によってシフト量△Ｔを確定することができる。
【００４５】
ステップＳ１０７の後は、シフト操作が為されたこと（厳密にはシフト量△Ｔが確定されたこと）を示すためのフラグを立て（ステップＳ１０８）、この処理の終了となる。
かかるフラグは、上述した予約番組記録動作処理におけるステップＳ２０の判別に使用することができる。
【００４６】
なお、ここで示したシフト量の設定及びその操作態様は、一例であり、他にも種々の態様が考えられる。
以上は、予約番組の種々の記録動作について説明したが、これら記録動作により情報記録された記録媒体を読み取ってその記録情報を再生する態様は、それぞれ対応する図３ないし図５、図７及び図８に示されている。
【００４７】
図３に示される如き通常の予約記録動作の場合並びに図５及び図７に示される如き予約変更記録動作の場合には、上流アドレスＡ１から下流アドレスＡ２へ順に記録領域を読み取る通常の再生形態が採られる。
一方、図４に示される如き予約変更記録動作の場合には、中間アドレスＡ２から下流アドレスＡ３へと順に記録領域を読み取った後は、上流アドレスＡ１に戻ってそこから中間アドレスＡ２までの記録領域の読み取りをなす、アドレスジャンプを伴った再生形態が採られる。また、図８に示される如き予約変更記録動作の場合には、下流寄り中間アドレスＡ４から下流アドレスＡ３へと順に記録領域を読み取った後は、上流アドレスＡ１に戻ってそこから上流寄り中間アドレスＡ２までの記録領域の読み取りをなす、アドレスジャンプを伴った再生形態が採られる。
【００４８】
このような再生形態は、記録動作時に適宜メモリ１０３に記憶しておいたアドレス情報に基づいて行われる。
詳述すると、記録動作終了間際において上記ステップＳ１４により番組管理情報が書き換えられるが、この管理情報は図１０に例示されるような種々の副情報を含み、これら副情報は互いに関連付けられる。
【００４９】
図１０において、番組管理情報は、記録した番組情報を識別するための番組番号、記録した番組情報が記録媒体において幾つの記録領域に分けられているかを示す領域数、１つの番組番号に対応する記録領域を識別する領域番号、１つの領域番号に対応する記録領域の開始アドレス及び終了アドレスなどの副情報を担う。
【００５０】
例えば、図３の予約記録動作によれば、開始アドレスＡ１及び終了アドレスＡ２によって画定される１つの記録領域に番号“１”の番組情報が記録されるので、領域数“１”、領域番号“１”、領域開始アドレス“Ａ１”、領域終了アドレス“Ａ２”が番組番号“１”に対応付けられる。またもう１つ例を挙げると、図４の予約記録動作によれば、開始アドレス（Ａ２＋１）及び終了アドレスＡ３によって画定される最初に読み取られるべき記録領域と、開始アドレスＡ１及び終了アドレスＡ２によって画定される次に読み取られるべき記録領域とに分けて番号“２”の番組情報が記録されるので、領域数“２”、領域開始アドレス“Ａ２＋１”、領域終了アドレス“Ａ３”が番組番号“２”の領域番号“１”に対応付けられるとともに、領域数“２”、領域開始アドレス“Ａ１”、領域終了アドレス“Ａ２”が番組番号“２”の領域番号“２”に対応付けられる。図５，図７及び図８の記録動作によって得られる番組管理情報も同様に、図１０に示されるデータマップからその対応関係を読み取ることができる。
【００５１】
このように予約情報記録モードにおいて為された記録順序を、ここではアドレスや領域の情報によって示すようにした番組管理情報は、ステップＳ１４におけるが如き記録動作終了間際に記録媒体に記録しておかれることにより、再度その記録媒体を改めて装填しその記録情報の再生をなさんとするときに、当該記録媒体に記録されている番組情報の各々の記録形態に適合した読取順序にて再生動作を行うことを可能にしている。但し、記録媒体の着脱ないしは交換がなされない状況では、メモリ１０３に番組管理情報を記憶しておくことで、その同一記録媒体については、適正な読取順の再生動作に必要な情報が備わることとなる。
【００５２】
かかる記録形態に適合した再生動作の処理は、システム制御回路１００によって、図１１の如き手順にて行われる。
図１１において、システム制御回路１００は、読取指令を受け或いは記録媒体の装填を検知すると、最初に読取／書込システム９及び記録再生制御装置５をして記録媒体の番組管理情報を取り込みメモリ１０３に記憶する（ステップＳ２０１）。
【００５３】
そして番組番号Ｐｎが、ユーザの指定に基づく操作部１００により指定され、或いは初期値（例えば最小番号）が番組番号Ｐｎに指定されると（ステップＳ２０２）、システム制御回路１００は、これに応答して再生動作を開始可能とする（ステップＳ２０３）。
次いでシステム制御回路１００は、メモリ１０３に記憶されている番組管理情報のうち、指定された番組番号Ｐｎに対応する領域数Ａｎを取り込み（ステップＳ２０４）、領域番号“１”に対応する開始アドレス及び終了アドレスを取り込む（ステップＳ２０５）。これによりシステム制御回路１００は、取得した開始アドレスへのサーチ指令の発生が可能となり、このサーチ指令を受けた記録再生制御回路５は、記録媒体の当該開始アドレスに対応する記録位置に読取／書込ヘッドの読取点を位置付けるよう読取／書込システム９を制御する。かかる読取点の位置付けの後は、記録再生制御回路５及び読取／書込システム９をして実際の記録媒体の読取動作及び記録情報の再生動作を開始せしめる。
【００５４】
再生動作の開始後、システム制御回路１００は、ステップＳ２０５において取得した終了アドレスの記録情報が読み取られたか否かを判別する（ステップＳ２０７）。終了アドレスの記録情報が読み取られない場合は当該読取動作、再生動作が継続される一方、読み取られた場合は、ステップＳ２０４において取得された領域数ＡｎとステップＳ２０３以降読取の済んだ領域の数とを比較することによって読み取るべき次の領域の有無を判定する（ステップＳ２０８）。
【００５５】
かかる次の領域がある場合、システム制御回路１００は、番組管理情報のうち、次の領域番号“２”に対応する開始アドレス及び終了アドレスを取り込み（ステップＳ２０９）、その開始アドレスへのサーチ指令の発生をなしてステップＳ２０６と同様のサーチを行うとともに、再生動作を続ける（ステップＳ２１０）。ステップＳ２１０の後はステップＳ２０７に移行して終了アドレスまでの再生動作の継続がなされることとなる。
【００５６】
ステップＳ２０８において次の領域が無ければ、該当する全ての領域の読取動作、情報再生動作が終了したものとして、再生動作を終了させる。
以上のような再生動作処理によって、予約機能による各記録動作に適合した再生動作形態を採ることができる。
上記実施例においては、情報源としてテレビチューナ１を例示したが、これ以外にも種々の情報源を採用することができる。例えば、いわゆるパソコン通信やインターネットなどにおいて予約対象にすることのできる情報を提供する機能を持つパーソナルコンピュータに代替可能である。
【００５７】
また、上記実施例においては、ディスク状記録媒体を扱う装置について説明したが、テープ状記録媒体や半導体メモリを含め他の記録／記憶媒体を扱う装置に対し本発明が適用可能である。
この他にも、上記実施例においては種々の手段を限定的に説明したが、当業者の設計可能な範囲にて適宜改変することも可能である。
【００５８】
【発明の効果】
以上詳述したように、本発明によれば、予約時間情報に基づく記録動作が実行されている最中において、その予約時間情報に対して現実の目的の情報の提供が遅れた場合にも対処することができ、しかも目的の情報のみを無駄なく記録媒体に記録することのできる情報記録装置及び情報記録方法が提供される。
【図面の簡単な説明】
【図１】本発明の一実施例による情報記録再生装置の概略的構成を示すブロック図である。
【図２】図１の情報記録再生装置におけるシステム制御回路が実行する第１の予約番組記録動作処理の手順を示すフローチャートである。
【図３】図２の予約番組記録動作処理によりなされる１の記録態様及びこれに従う再生態様を示すタイムチャートである。
【図４】図２の予約番組記録動作処理によりなされる他の記録態様及びこれに従う再生態様を示すタイムチャートである。
【図５】図２の予約番組記録動作処理によりなされるその他の記録態様及びこれに従う再生態様を示すタイムチャートである。
【図６】図１の情報記録再生装置におけるシステム制御回路が実行する第２の予約番組記録動作処理の手順を示すフローチャートである。
【図７】図６の予約番組記録動作処理によりなされる１の記録態様及びこれに従う再生態様を示すタイムチャートである。
【図８】図６の予約番組記録動作処理によりなされる他の記録態様及びこれに従う再生態様を示すタイムチャートである。
【図９】図２及び図６の予約番組記録動作処理において判別の対象とされるシフト操作の一態様を示すフローチャートである。
【図１０】図２及び図６の予約番組記録動作処理において記録（または記憶）される番組管理情報の各副情報の対応関係を示す図である。
【図１１】図１の情報記録再生装置におけるシステム制御回路が実行する再生動作処理の手順を示すフローチャートである。
【符号の説明】
１  テレビチューナ
２１，２２  Ａ／Ｄ変換器
３１，３２  エンコーダ
４  マルチプレクサ
５  記録再生制御回路
６  デマルチプレクサ
７１，７２  デコーダ
８１，８２  Ｄ／Ａ変換器
９  読取／書込システム
１００  システム制御回路
１０１  操作部
１０２  時計回路
１０３  メモリ
【図１】
0003949808.tif 000002
【図２】
0003949808.tif 000003
【図３】
0003949808.tif 000004
【図４】
0003949808.tif 000005
【図５】
0003949808.tif 000006
【図６】
0003949808.tif 000007
【図７】
0003949808.tif 000008
【図８】
0003949808.tif 000009
【図９】
0003949808.tif 000010
【図１０】
0003949808.tif 000011
【図１１】
0003949808.tif 000012